(57)【要約】【課題】  持ち運ぶのが容易であり、内部に収納された機器を安全に保護することができ、開放が容易である、映像システムの持ち運び及び装着用のケースを提供する。【解決手段】  ケース１００は、ディスプレイ機器１が取り付けられた第１のケース体１１０と、映像再生機器２が取り付けられた第２のケース体１２０とを有するケース部材１０５、両ケース体１１０，１２０の少なくとも一方に連結されケース部材１０５を車両の座席に着脱自在に装着させる装着手段、及び両ケース体１２０を選択的に結合させる結合手段１４０を備えている。両ケース体１１０，１２０は、回動可能に連結されており、結合手段１４０により両ケース体１１０，１２０が結合されたときは、両ケース体１１０，１２０は前後（ケース部材１０５の厚さ方向）に配置される。【選択図】  図４
2005153866.tif 000002
【特許請求の範囲】
【請求項１】
映像システムの持ち運び及び車両装着用のケースであって、
前記映像システムのディスプレイ機器が着脱自在に取り付けられる第１のケース体と前記映像システムの映像再生機器が着脱自在に取り付けられる第２のケース体とを有するケース部材と、
前記第１のケース体と第２のケース体の少なくとも一方に連結され、前記ケース部材を車両の座席に着脱自在に装着させる装着手段と、
前記第１のケース体と第２のケース体を選択的に結合させる結合手段とを備えており、
前記第１のケース体と第２のケース体は回動可能に連結されており、前記結合手段により前記第１のケース体と第２のケース体が結合されたときは、前記第１のケース体と第２のケース体は前後に配置されることを特徴とするケース。
【請求項２】
作動モードのとき、前記第１のケース体と前記第２のケース体との間に形成される作動角度は約９０°であることを特徴とする請求項１に記載のケース。
【請求項３】
作動モードのとき、前記第１のケース体と前記第２のケース体との間に形成される作動角度は約１８０°であることを特徴とする請求項１に記載のケース。
【請求項４】
作動モードのとき、前記第１のケース体と第２のケース体との間に形成される作動角度は約３６０°であることを特徴とする請求項１に記載のケース。
【請求項５】
前記ケース部材は、前記第２のケース体の側壁に設けられた、前記映像再生機器の冷却を円滑にするための熱放出口を、少なくとも一つ有していることを特徴とする請求項１に記載のケース。
【請求項６】
前記ケース部材は、前記第１のケース体の側壁に設けられた、ビデオ／オーディオ信号をケースの外部に配置される他のディスプレイ機器に伝達するための接続パネルを、少なくとも一つ有していることを特徴とする請求項１に記載のケース。
【請求項７】
前記装着手段は、前記ケース部材に設けられた複数個の連結輪と、該連結輪と連結し前記座席に巻着される装着ベルトとから構成されていることを特徴とする請求項１に記載のケース。
【請求項８】
前記装着手段は、前記ケース部材に設けられた複数個のフックと、前記座席に取り付けられた複数個の連結輪を有するプレートとから構成されていることを特徴とする請求項１に記載のケース。
【請求項９】
前記装着手段は、前記座席を覆うシートカバーと、前記ケース部材をシートカバーに着脱自在に取り付ける取付手段とから構成されていることを特徴とする請求項１に記載のケース。
【発明の詳細な説明】
【技術分野】
【０００１】
本発明は映像システムの持ち運び及び車両装着用のケースに関し、より詳しくは、映像再生機器及びディスプレイ機器を内部に収納し、安全かつ容易に持ち運ぶことができ、車両の座席の後側に着脱自在に装着することができるケースに関する。
【背景技術】
【０００２】
最近、自動車内に、ＴＶやビデオを見たりゲームをしたりするためのディスプレイ機器を備えたオーディオ／ビデオシステム（ＡＶシステム）が取り付けられている。ＡＶシステムは、タッチスクリーン方式の液晶モニタ、ビデオシステム、オーディオシステム、ＣＤチェンジャー、ナビゲーションシステム、ＤＶＤプレイヤー、衛星放送セットトップボックスなどを組み合わせて構成されている。また、ナビゲーション機能、インターネット、無線通信機能、音声認識機能、文字／音声変換機能などをサポートするように、機能の強化又は多様化が進められている。
【０００３】
ほとんどの車両用ＡＶシステムは、車両内に「オンダッシュ（on-dash）」方式か「インダッシュ（in-dash）」方式により設置される。オンダッシュ方式とは、自動車のダッシュボード上にＡＶシステムを設置したものである。一方、インダッシュ方式は、ＡＶシステムはダッシュボード内に設置されており、パワーボタンを押すと、モニタが上方に突出するように構成されている。
【０００４】
このようなに構成された車両用ＡＶシステムは、一般の家庭用のものよりも設置方法が複雑であり、一般の人が設置するのは困難なので、車両用ＡＶシステムの専門代理店などが設置を行っていた。
【０００５】
そこで、ＡＶシステムを持ち運ぶ及び車両に着脱自在に装着するシステムが提案されている。そのシステムの一例は、１９９９年１月２５日付けで特許された「乗用車用のビデオモニタ及びビデオプレイヤーを収納、移動、及び装着するための収納式ケース（Self-contained case for housing transporting and mounting video monitor and video player for use in passenger vehicles）」に開示されている（特許文献１参照）。
【０００６】
図２２は、特許文献１に開示されている、収納式ケースを示す斜視図である。このケースは、エンタテインメント用のビデオ機器を、自動車内に着脱自在に装着するためのものである。前記ケースは、ビデオ機器を内部に収納する縦長の長方形状のケース１０と、ケース１０を車両の座席に着脱自在に装着させるための装着ベルト２０とを備えている。
【０００７】
ケース１０は、ケース１０の上部及び下部を開閉するように取り付けられたフロントパネル１６とメッシュのサイドパネル１２を有しており、両者はジッパーにより連結されている。サイドパネル１２は、自動車内の乗員がビデオ機器に近づくことができるように、外側に所定角度で開くことができる。サイドパネル１２の内側には、映像再生機器２が収納されており、ケース１０の上部の内側には、映像再生機器２からの信号を受信するディスプレイ機器１が取付部材により取り付けられている。そして、フロントパネル１６を折り畳むと、ケース１０の上部が開放され、ディスプレイ機器１が露出する。
【０００８】
装着ベルト２０は、自動車の内部床面、第１及び第２のヘッドレスト３ａ，３ａの全てに隣接する位置に着脱自在に装着される
【特許文献１】米国特許第６，０９２，７０５号
【発明の開示】
【発明が解決しようとする課題】
【０００９】
しかしながら、前記した従来のケースは、ケース１０が長いため、持ち運ぶのが不便であり、ケース１０内に収納されている機器が持ち運び中に損傷する恐れがあった。また、ケース１０の上部及び下部を覆っているフロントパネル１６を開くのは面倒であり、手間がかかるものであった。
【００１０】
そこで、本発明の目的は、持ち運ぶのが容易であり、内部に収納された機器を安全に保護することができ、開放が容易である、映像システムの持ち運び及び装着用のケースを提供することにある。
【課題を解決するための手段】
【００１１】
前記課題を解決するために、本発明は、映像システムの持ち運び及び車両装着用のケースであって、前記映像システムのディスプレイ機器が着脱自在に取り付けられる第１のケース体と前記映像システムの映像再生機器が着脱自在に取り付けられる第２のケース体とを有するケース部材と、前記第１のケース体と第２のケース体の少なくとも一方に連結され、前記ケース部材を車両の座席に着脱自在に装着させる装着手段と、前記第１のケース体と第２のケース体を選択的に結合させる結合手段とを備えている。そして、前記第１のケース体と第２のケース体は回動可能に連結されており、前記結合手段により前記第１のケース体と第２のケース体が結合されたときは、前記第１のケース体と第２のケース体は前後に配置されるように構成されている。
【発明の効果】
【００１２】
本発明に係る映像システムの持ち運び及び車両装着用のケースは、持ち運ぶ際（閉じた際）に、第１及び第２のケース体が前後（水平方向）に並んで配置されるので、ディスプレイ機器及び映像再生機器が上下に配置される従来のケースと比べて、ケース１００の上下方向の長さを短くすることができる。したがって、ケース１００を、安全かつ容易に持ち運ぶことが可能となる。また、開放が容易になる。
【発明を実施するための最良の形態】
【００１３】
以下、本発明に係る映像システムの持ち運び及び車両装着用のケース（以下、単に「ケース」という）の実施形態について、適宜図面を参照しつつ詳細に説明する。
（第１の実施形態）
図１〜図４を参照しつつ、第１の実施形態であるケース１００について説明する。
【００１４】
ケース１００は、その内部にディスプレイ機器１と映像再生機器２を主な構成要素とする映像システムを収納したまま持ち運びすることができる持ち運びモード、使用者がディスプレイ機器１を視聴可能である作動モード、及び車両の後席に着座した使用者が視聴可能にディスプレイ機器１を車両の前席３の後側に設置（装着）した設置モードで使用することができる。
【００１５】
ケース１００は、ディスプレイ機器１がその内部に着脱自在に取り付けられる第１のケース体１１０と、映像再生機器２がその内部に着脱自在に取り付けられる第２のケース体１２０とを有するケース部材１０５、第１及び第２のケース体１１０，１２０の少なくとも一方に連結されケース部材１０５を車両の座席に着脱自在に装着させる装着手段、及び第１ケース体１１０と第２のケース体１２０を選択的に結合させる結合手段１４０を備えている。
【００１６】
第１及び第２のケース体１１０，１２０は、回動可能に連結されており、結合手段１４０により第１及び第２のケース体１１０，１２０が結合されたときは、第１及び第２のケース体１１０，１２０は前後（ケース部材１０５の厚さ方向）に配置される。
【００１７】
ディスプレイ機器１は、通常、ＬＣＤモニタ、ＬＣＤテレビ、プラズマテレビ、又はＣＲＴテレビなどから構成され、映像再生機器２は、通常、ビデオプレイヤー、ＤＶＤプレイヤー、又はそれらの複合機器から構成される。ディスプレイ機器１は、映像再生機器２からケーブル（図示せず）を介してビデオ及びオーディオ信号などを受信し、ビデオ及びオーディオデータを出力する。
【００１８】
第１のケース体１１０は、持ち運びモードの際に、第２のケース体１２０と当接する面に開口部を有する。この開口部から、ディスプレイ機器１は、その画面１ａが開口部に面するように、第１のケース体１１０の内面に着脱自在に固定される。
【００１９】
ディスプレイ機器１は、第１のケース体１１０に着脱自在に取り付けることができる。また、ディスプレイ機器１は、ヘッドレスト３ａに着脱自在に取り付けることができる取付部材１６０（図１３参照）を使用して、第１のケース体１１０の内面に取り付けられることが好ましい。
【００２０】
図１３に示すように、取付部材１６０は、上部の開口部から挿入されるディスプレイ機器１を内部に収納し、第１のケース体１１０の内面に着脱自在に取り付けられる。取付部材１６０の第１のケース体１１０への取り付けは、取付部材１６０の後面に設けられた例えばベルクロ（Velcro：登録商標）のような固定テープ（図示せず）を、ケース体１１０の内面に設けられた固定テープ１６１と結合させ、取付部材１６０の後面の上部に設けられた一対の係止孔１６２´を、ケース体１１０の内面に設けられた第１の係止ボタン１６２と係合させることによりなされる。前面カバー１６３は、その上端に設けられた固定テープと、取付部材１６０の前面上端に設けられた固定テープ１６４との着脱により開閉し、取付部材１６０の前面に設けられた透明部又は開口部を覆ったり露出させたりする。また、取付部材１６０は、その後面に設けられた、バックル部材１６５ａ，１６５ｂを有する取付ベルト１６５により、車両の座席３のヘッドレスト３ａに着脱自在に取り付けることができる。
【００２１】
第１のケース体１１０の開口部が設けられている面の下端（持ち運びモードの際の下端）は、第２のケース体１２０の下端（持ち運びモードの際の下端）と回動可能に連結されており、作動モードの際は、第１及び第２のケース体１１０，１２０は、約９０°の角度で開かれる。すなわち、作動モードの際は、第１及び第２のケース体１１０，１２０間に形成される角度（作動角度）は、約９０°である。このとき、第２のケース体１２０に着脱自在に取り付けられる映像再生機器２の操作部２ａは、ディスプレイ機器１の画面１ａと同じ方向に面すると共に、上側カバー１２１は開けられ、固定テープ１２４により、第２のケース体１２０に着脱自在に固定される。
【００２２】
第１及び第２のケース体１１０，１２０の作動角度は、第１及び第２のケース体１１０，１２０の側壁内面に、その両端がそれぞれ連結されている一対の固定ストラップ１５０により制限される。
【００２３】
第２のケース体１２０に、その一端が連結されている上側カバー１２１は、持ち運びモードの際、すなわち、第１及び第２のケース体１１０，１２０が閉じられているときは、他端が第１及び第２のケース体１１０，１２０の上部を覆う。また、上側カバー１２１は、第１のケース体１１０に着脱自在に固定され、第１及び第２のケース体１１０、１２０を互いに結合させる。さらに、上側カバー１２１には、持ち運びモードの際に、使用者が把持するための取っ手１２３が取り付けられる。
【００２４】
第２ケース１２０は、その内部に着脱自在に取り付けられている映像再生機器２を固定するための固定ベルト１２５を備えている。その両端が第２のケース体１２０の両側壁にそれぞれ取り付けられている固定ベルト１２５は、固定バックル１２５ａを有している。さらに、第２のケース体１２０は、持ち運びモードから作動モードへの切り替えの際、映像再生機器２が第２のケース体１２０と固定ベルト１２５から離脱するのを防ぐために、上端の角に設けられた係止部材１２６を有している。
【００２５】
ケース部材１０５を車両の座席に装着させるための装着手段は、少なくとも１つ以上（本実施形態では、２つ設けられている）の装着ベルト１３０と、第１のケース体１１０外面の四隅にそれぞれ設けられた連結輪１２７とから構成される。装着ベルト１３０は、締結及び分離が可能な装着バックル１３１と、装着ベルト１３０の両端に設けられたフック１３３を有している。フック１３３は、連結輪１２７と締結及び分離可能である。
【００２６】
第１及び第２のケース体１１０，１２０を選択的に結合させる結合手段１４０は、持ち運びモードの際に、第１及び第２のケース体１１０、１２０が互いに接する両側にそれぞれ設けられたジッパーから構成されることが好ましい。
【００２７】
以上のように構成されたケース１００は、次のように使用される。
【００２８】
まず、ディスプレイ機器１は、その画面１ａが取付部材１６０の前面に面するように、取付部材１６０に固定される。次に、ディスプレイ機器１を収納する取付部材１６０は、第１のケース体１１０の内部に着脱自在に取り付けられ、映像再生機器２は、その操作部２ａが画面１ａと同じ方向に面するように、第２のケース体１２０の内部に固定ベルト１２５により取り付けられる。
【００２９】
次に、図２に示すように、ディスプレイ機器１と映像再生機器２がそれぞれ取り付けられている第１及び第２のケース体１１０，１２０は、結合手段１４０すなわちジッパーにより前後（ケース部材１０５の厚さ方向）に配置された状態で互いに結合される。また、第２のケース体１２０に連結されている上側カバー１２１は、第１のケース体１１０に設けられた係止ボタン１２２により、第１のケース体１１０に固定される。これにより、ケース１００のモードは持ち運びモードになり、使用者は取っ手１２３を把持して、又は連結輪１２７に連結された持ち運びストラップ（図示せず）を使用して、ケース１００を持ち運ぶことができる。
【００３０】
ケース１００のモードを持ち運びモードから設置モードに切り替える場合は、まず、装着手段である装着ベルト１３０を、第１のケース体１１０に設けられた連結輪１２７に連結させた後、ヘッドレスト３ａと座席３のシートバックに巻着させることにより、ケース１００を座席３に着脱自在に装着させる。次に、上側カバー１２１を第１のケース体１１０から外し、固定テープ１２４により第２のケース体１２０の前面に固定する。その後、結合手段１４０であるジッパーを開き、第２のケース体１２０を第１のケース体１１０から前方に回転させる。第２のケース体１２０は、固定ストラップ１５０により、一定角度、すなわち、約９０°の作動角度だけ回転して停止する。
【００３１】
第１のケース体１１０の開口部が開放されると、第１のケース体１１０の内面に取り付けられている取付部材１６０の前面カバー１６３を前方に開いて、ディスプレイ機器１の画面１ａを露出させる。そして、映像再生機器２とディスプレイ機器１に電力を供給する。これにより、図４に示すように、ケース１００のモードは、持ち運びモードから設置モードに切り替えられ、使用者は、車両の後席に座着してディスプレイ機器１を視聴することができる。
【００３２】
また、ディスプレイ機器１をヘッドレスト３ａに取り付ける場合は、第１のケース体１１０から取付部材１６０を取り外した後、取付ベルト１６５（図１３参照）により取付部材１６０をヘッドレスト３ａに取り付ける。
【００３３】
また、装着ベルト１３０はケース１００のケース部材１０５を車両の座席３に装着させるために使用されるが、ケース１００のモードが持ち運びモードに切り替えられた際は、装着ベルト１３０は第１のケース体１１０に設けられた連結輪１２７から外されて、第１のケース体１１０内に設けられたポケット（図示せず）に保管される。
【００３４】
上述したように、持ち運びモードでは、第１及び第２のケース体１１０，１２０は、前後に配置されるので、ディスプレイ機器及び映像再生機器が上下に配置される従来のケースと比べて、ケース１００の上下方向の長さを短くすることができる。したがって、ケース１００を、安全かつ容易に持ち運ぶことが可能となる。さらに、結合手段１４０であるジッパーの作動距離を短くすることがでるので、第１及び第２のケース体１１０，１２０の開放が容易になる。
（第２の実施形態）
図５〜図９を参照しつつ、第２の実施形態であるケース１００ａについて説明する。なお、前記した第１の実施形態と同様な部材については同じ符号を付してその説明を省略する。
【００３５】
ケース１００ａは、その内部にディスプレイ機器１と映像再生機器２を主な構成要素とする映像システムを収納したまま持ち運びすることができる持ち運びモード、使用者がディスプレイ機器１を視聴可能である作動モード、及び車両の後席に着座した使用者が視聴可能にディスプレイ機器１を車両の前席３の後側に設置（装着）した設置モードで使用することができる。
【００３６】
ケース１００ａは、第１の実施形態のケース１００と同様に、ディスプレイ機器１がその内部に着脱自在に取り付けられる第１のケース体１１０ａと、映像再生機器２がその内部に着脱自在に取り付けられる第２のケース体１２０ａとを有するケース部材１０５ａ、第１及び第２のケース体１１０ａ，１２０ａの少なくとも一方に連結されケース部材１０５ａを車両の座席に着脱自在に装着させる装着手段、及び第１のケース体１１０ａと第２のケース体１２０ａを選択的に結合させる結合手段１３０ａを備えている。
【００３７】
第１及び第２のケース体１１０ａ，１２０ａは、回動可能に連結されており、結合手段１３０ａにより第１及び第２のケース体１１０ａ，１２０ａが結合されたときは、第１及び第２のケース体１１０ａ，１２０ａは前後（ケース部材１０５ａの厚さ方向）に配置される。
【００３８】
第１のケース体１１０ａの開口部が設けられている面の上端（持ち運びモードの際の上端）は、第２のケース体１２０ａの上端（持ち運びモードの際の上端）と回動可能に連結されており、作動モードの際は、第１及び第２のケース体１１０ａ，１２０ａは、約１８０°の角度で開かれる。すなわち、作動モードの際は、第１及び第２のケース体１１０ａ，１２０ａ間に形成される作動角度は、約１８０°である。
【００３９】
第２のケース体１２０ａは、その内部に上下方向に並設されている１対の引出プレート１４０ａを備えており、この引出プレート１４０ａによって、映像再生機器２が第２のケース体１２０ａに着脱自在に取り付けられる。各引出プレート１０４ａは、例えば縫い付けることにより第２のケース体１２０ａに固定される。各引出プレート１０４ａは、その折れ性をスムーズにするために、その内側、中央部、外側において、左右方向に延びる３つの折れ部１４２ａ、１４１ａ、１４３ａを有している。さらに、各引出プレート１４０ａは、その外側端部に連結部１４４ａを有している。この連結部１４４ａが映像再生機器２のケーシングに設けられた固定テープ１４６と結合することにより、映像再生機器２は引出プレート１０４ａに着脱自在に取り付けられる。
【００４０】
作動モードの際に、映像再生機器２を第２のケース体１２０ａから引き出すと、図７に示すように、引出プレート１４０ａは水平に広がり、映像再生機器２の操作部２ａが第２のケース体１２０ａの外部に露出する。また、映像再生機器２を第２のケース体１２０ａに収納する際は、図８に示すように、引出プレート１４０ａは、折れ部１４２ａ、１４１ａ、１４３ａの屈折により折り畳まれる。
【００４１】
ケース部材１０５ａを車両の座席に装着するための装着手段は、少なくとも１つ以上（本実施形態では、２つ設けられている）の装着ベルト１３０、第１のケース体１１０ａの外面の下部左右の隅にそれぞれ設けられた連結輪１２１ａ、及び第２のケース体１２０ａの外面の上部左右の隅にそれぞれ設けられた連結輪１１１ａから構成される。装着ベルト１３０の両端には、連結輪１２７と着脱自在であるフック１３３が設けられている。
【００４２】
第１及び第２のケース体１１０ａ，１２０ａを選択的に結合させる結合手段１３０ａは、持ち運びモードの際に、第１及び第２のケース体１１０ａ，１２０ａが互いに接する両側にそれぞれ設けられたジッパーから構成することが好ましい。
【００４３】
以上のように構成されたケース１００ａは、次のように使用される。
【００４４】
まず、ディスプレイ機器１は、その画面１ａが取付部材１６０の前面に面するように、取付部材１６０に固定される。次に、ディスプレイ機器１を収納する取付部材１６０は、第１のケース体１１０ａの内部に着脱自在に取り付けられ、映像再生機器２は、その操作部２ａが上方に面するように、第２のケース体１２０ａの内部に引出プレート１４０ａにより着脱自在に取り付けられる。
【００４５】
次に、ディスプレイ機器１と映像再生機器２がそれぞれ取り付けられている第１及び第２のケース体１１０ａ，１２０ａは、結合手段１３０ａすなわちジッパーにより前後（ケース部材１０５ａの厚さ方向）に配置された状態で互いに結合される。これにより、ケース１００ａのモードは持ち運びモードになり、使用者は取っ手１７０を把持して、又は連結輪１２７に連結された持ち運びストラップ（図示せず）を使用して、ケース１００ａを持ち運ぶことができる。
【００４６】
ケース１００ａのモードを持ち運びモードから設置モードに切り替える場合は、まず、結合手段１３０ａであるジッパーを開き、第１のケース体１１０ａを第２のケース体１２０ａから約１８０°回転させて、第１及び第２のケース体１１０ａ，１２０ａが上下に配置されるようにする。次に、装着手段である装着ベルト１３０を、第１のケース体１１０ａに設けられた連結輪１２１ａ及び第２のケース体１２０ａに設けられた連結輪１１１ａにそれぞれ連結させた後、ヘッドレスト３ａと座席３に巻着させることにより、ケース１００ａを座席３に装着させる。
【００４７】
その後、第１のケース体１１０ａの内面に取り付けられている取付部材１６０の前面カバー１６３を前方に開いて、ディスプレイ機器１の画面１ａを露出させる。そして、映像再生機器２を第２のケース体１２０ａから引き出して、その操作部２ａを露出させる。そして、映像再生機器２とディスプレイ機器１に電力を供給する。
【００４８】
これにより、図９に示すように、ケース１００ａのモードは、持ち運びモードから設置モードに切り替えられ、使用者は、車両の後席に座着してディスプレイ機器１を視聴することができる。また、その後、映像再生機器２の操作が不要である場合は、映像再生機器２を第２のケース体１２０ａの内部に押し込んで再び収納することもできる。
【００４９】
また、ディスプレイ機器１をヘッドレスト３ａに取り付ける場合は、第１のケース体１１０ａから取付部材１６０を取り外した後、取付ベルト１６５（図１３参照）により取付部材１６０をヘッドレスト３ａに取り付ける。
【００５０】
また、装着ベルト１３０はケース１００ａのケース部材１０５を車両の座席３に装着させるために使用されるが、ケース１００ａのモードが持ち運びモードに切り替えられた際は、装着ベルト１３０は第１及び第２のケース体１１０ａ，１２０ａに取り付けられている連結輪１２１ａ、１１１ａから外されて、第１のケース体１１０内に設けられたポケット（図示せず）に保管される。
【００５１】
上述したように、持ち運びモードでは、第１及び第２のケース体１１０ａ，１２０ａは、前後に配置されるので、ディスプレイ機器及び映像再生機器が上下に配置される従来のケースと比べて、ケース１００ａの上下方向の長さを短くすることができる。したがって、ケース１００ａを、安全かつ便利に持ち運ぶことが可能となる。さらに、結合手段１４０であるジッパーの作動距離を短くすることができるので、第１及び第２のケース体１１０ａ，１２０ａの開放が容易になる。
（第３の実施形態）
図１０〜図１２を参照しつつ、第３の実施形態であるケース１００ｂについて説明する。なお、前記した第１の実施形態と同様な部材については同じ符号を付してその説明を省略する。
【００５２】
ケース１００ｂは、その内部にディスプレイ機器１と映像再生機器２を主な構成要素とする映像システムを収納したまま持ち運びすることができる持ち運びモード、使用者がディスプレイ機器１を視聴可能である作動モード、及び車両の後席に着座した使用者が視聴可能にディスプレイ機器１を車両の前席３の後側に設置（装着）した設置モードで使用することができる。
【００５３】
ケース１００ｂは、第１の実施形態のケース１００と同様に、ディスプレイ機器１がその内部に着脱自在に取り付けられる第１のケース体１１０ｂと、映像再生機器２がその内部に着脱自在に取り付けられる第２のケース体１２０ｂとを有するケース部材１０５ｂ、第１及び第２のケース体１１０ｂ，１２０ｂの少なくとも一方に連結されケース部材１０５ｂを車両の座席に着脱自在に装着させる装着手段、及び第１のケース体１１０ｂと第２のケース体１２０ｂを選択的に結合させる結合手段１４０ｂを備えている。
【００５４】
第１及び第２のケース体１１０ｂ，１２０ｂは、回動可能に連結されており、結合手段１４０ｂにより第１及び第２のケース体１１０ｂ，１２０ｂが結合されたときは、第１及び第２のケース体１１０ｂ，１２０ｂは前後（ケース部材１０５ｂの厚さ方向）に配置される。
【００５５】
第１のケース体１１０ｂの開口部が設けられている面の上端（持ち運びモードの際の上端）は、第２のケース体１２０ｂの上端（持ち運びモードの際の上端）と回動可能に連結されており、作動モードの際は、第１及び第２のケース体１１０ｂ，１２０ｂは、約３６０°回転する。すなわち、作動モードの際は、第１及び第２のケース体１１０ｂ，１２０ｂ間に形成される作動角度は、約３６０°である。
【００５６】
このとき、第１のケース体１１０ｂと回動可能に連結されている第２のケース体１２０ｂの上面、すなわち上側カバー１１１ｂを、第２のケース体１２０ｂの前面に対して回転可能にすることにより、第２のケース体１２０ｂから第１のケース体１１０ｂの開放をスムーズにする。また、このように上側カバー１１１ｂを設けることにより、第１のケース体１１０ｂが約３６０°回転して、ケース１００ｂが作動モードや設置モードになると、図１１に示すように、映像再生機器２の操作部２ａを第２のケース体１２０ｂの外部に露出させることができる。また、第１のケース体１１０ｂの上側カバー１２１ｂと第２のケース体１２０ｂの上側カバー１１１ｂは、固定テープ１２３ｂにより固定される。
【００５７】
ケース部材１０５ｂを車両の座席３に設置するための装着手段は、少なくとも１つ以上（本実施形態では、２つ設けられている）の装着ベルト１３０と、第２のケース体１２０ｂの内面の四隅にそれぞれ設けられた連結輪１１２ｂとから構成される。装着ベルト１３０の両端には、連結輪１２７と着脱自在であるフック１３３が設けられている。
【００５８】
第１及び第２のケース体１１０ｂ、１２０ｂを選択的に結合させるための結合手段１４０ｂは、第１及び第２のケース体１１０ｂ，１２０ｂの下部にそれぞれ設けられた、バックル部材１４１ｂ、１４２ｂを有する結合ベルトから構成される。
【００５９】
また、第１又は第２のケース体１１０ｂ，１２０ｂの上側カバー１２１又は１１１ｂには、ケース１００ｂを持ち運ぶときに把持するための取っ手１５０ｂが設けられる。本実施形態では、取っ手１５０ｂは、第２のケース体１２０ｂの上側カバー１１１ｂに設けられている。
【００６０】
以上のように構成されたケース１００ｂは、次のように使用される。
【００６１】
まず、ディスプレイ機器１は、その画面１ａが取付部材１６０の前面に面するように、取付部材１６０に固定される。次に、ディスプレイ機器１を収納する取付部材１６０は、第１のケース体１１０ｂの内部に取り付けられ、ジッパー１２２ｚを噛合させることにより、前面カバー１２２ｂを閉じる。また、映像再生機器２は、その操作部２ａが上方に面するように、第２のケース体１２０ｂに着脱自在に取り付けられる。
【００６２】
次に、図１１に示すように、第１のケース体１１０ｂが約３６０°回転して、第２のケース体１２０ｂの後面に配置される。また、ディスプレイ機器１と映像再生機器２がそれぞれ取り付けられている第１及び第２のケース体１１０ｂ，１２０ｂは、結合手段１４０ｂ、すなわち結合ベルトにより互いに前後に配置された状態で結合される。これにより、ケース１００ｂは持ち運びモードになり、使用者は取っ手１５０ｂを把持して、又はケース部材１０５ｂの外面に連結された持ち運びストラップ（図示せず）を使用して、ケース１００ｂを持ち運ぶことができる。
【００６３】
ケース１００ｂのモードを持ち運びモードから設置モードに切り替える場合は、まず、結合手段１４０ｂである結合ベルトのバックル部材１４１ｂ、１４２ｂを解除し、第１のケース体１１０ｂを第２のケース体１２０ｂから約３６０°回転させて、第１のケース体１１０ｂが第２のケース体１２０ｂの前方に位置するようにする。次に、装着手段である装着ベルト１３０を、第２のケース体１２０ｂに設けられた連結輪１１２ｂに連結させた後、ヘッドレスト３ａと座席３のシートバックに巻着させることにより、ケース１００ｂを座席３に装着させる。その後、第１のケース体１１０ｂのジッパー１２２ｚを解除し、前面カバー１２２ｂを開放して、固定テープ（図示せず）により第２のケース体１２０ｂの下面に固定する。
【００６４】
このように、第１のケース体１１０ｂの前面が開放されると、第１のケース体１１０ｂの内面に取り付けられている取付部材１６０の前面カバー１６３を前方に開いて、ディスプレイ機器１の画面１ａを露出させる。そして、映像再生機器２とディスプレイ機器１に電力を供給する。これにより、図１０に示すように、ケース１００ｂは、設置モードになり、使用者は、車両の後席に座着してディスプレイ機器１を視聴することができる。
【００６５】
なお、ディスプレイ機器１をヘッドレスト３ａに取り付ける場合は、第１のケース体１１０ｂから取付部材１６０を取り外した後、取付ベルト１６５（図１３参照）により取付部材１６０をヘッドレスト３ａに取り付ける。
【００６６】
また、装着ベルト１３０はケース１００ａのケース部材１０５ｂを車両の座席３に装着させるために使用されるが、ケース１００ｂのモードが持ち運びモードに切り替えられた際は、装着ベルト１３０は第１のケース体１１０ｂに設けられた連結輪１１２ｂから外されて、第１のケース体１１０ｂ内に設けられたのポケット（図示せず）に保管される。
【００６７】
上述したように、持ち運びモードでは、第１及び第２のケース体１１０ｂ，１２０ｂは、前後に配置されるので、ディスプレイ機器及び映像再生機器が上下に配置される従来のケースと比べて、ケース１００ｂの上下方向の長さを短くすることができる。したがって、ケース１００ｂを、安全かつ便利に持ち運ぶことが可能となる。さらに、結合手段１４０であるジッパーの作動距離を短くすることができるので、第１及び第２のケース体１１０ｂ，１２０ｂの開放が容易になる。
【００６８】
以下、第１〜第３の実施形態に共に適用される変形例について説明する。
【００６９】
図１４は、第１の変形例であるケースの一部を示す部分斜視図である。この第１の変形例は、第２のケース体１２０´が、映像再生機器２の冷却を円滑にするための熱放出口１７０ｃ、及びこの熱放出口１７０ｃに設けられ外部から第２のケース体１２０´の内部への異物の流入を防止するためのメッシュ１８０ｃを有している点が、第１実施形態の第２のケース体１２０とは異なっている。なお、熱放出口１７０ｃ及びメッシュ１８０ｃは、第２及び第３実施形態の第２のケース体１２０ａ、１２０ｂにも適用することができる。
【００７０】
図１５及び図１６は、第２の変形例であるケース１００´を示す斜視図である。この第２の変形例は、第１のケース体１１０´が、映像再生機器２からケース１００´の外部に配置されている第２ディスプレイ機器１´にオーディオ／ビデオ信号を出力するための接続パネル１７０ｄを有している点が、第１実施形態の第１のケース体１１０と異なっている。
【００７１】
接続パネル１７０ｄは、外部の電源ケーブル４が接続される電源ケーブル接続端子１７１ｄ、電源ケーブル４から供給される電力をディスプレイ機器１と映像再生機器２に伝達するための電源コネクタ１７２ｄを有している。また、接続パネル１７０ｄは、第２のケース体１２０に取り付けられている映像再生機器２のＡ／Ｖ端子（図示せず）に接続されるＡ／Ｖコネクタ１７３ｄ、及びＡ／Ｖコネクタ１７３ｄとケース１００´の外部に配置されている第２ディスプレイ機器１´とを連結するためのＡ／Ｖ接続端子１７４ｄを有している。
【００７２】
第２ディスプレイ機器１´のＡ／Ｖケーブル５ａのコネクタ５ｂが接続パネル１７０ｄのＡ／Ｖ接続端子１７４ｄに接続されることにより、映像再生機器２から出力されるオーディオ及びビデオ信号などが第２ディスプレイ機器１´に供給される。このような接続パネル１７０ｄは、第２及び第３実施形態の第１のケース体１１０ａ、１１０ｂにも適用することができる。また、接続パネル１７０ｄは、第１〜第３実施形態の第２のケース体１２０、１２０ａ又は１２０ｂに適用することもできる。
【００７３】
ケースを車両の座席に装着するための装着手段として、第１〜第３実施形態で使用されている装着ベルトの代わりに、図１７〜図２１に示す２つの装着手段が用いることができる。
【００７４】
図１７及び図１８に示す装着手段は、複数の連結輪１７１ｅを有するプレート１７０ｅと、第１のケース体１１０に設けられた連結輪１８０ｅとから構成されている。プレート１７０ｅは、車両の座席３の後面に取り付けられる。
【００７５】
プレート１７０ｅの連結輪１７１ｅは、上下に一定の間隔をおいて一直線状に並んだ列が複数列（本実施例では２列）設けられている。プレート１７０ｅは、プレート１７０ｅの上部及び下部にそれぞれ取り付けられる１対の装着ベルト１７２ｅを有している。装着ベルト１７２ｅは、バックル１７２ｈを有している。
【００７６】
プレート１７０ｅは、１対の装着ベルト１７２ｅをヘッドレスト３ａ及び座席３のシートバックに巻着させることにより、車両の座席３に取り付けられる。また、ケース部材１０５は、ケース部材１０５に設けられたフック１８０ｅをプレート１７０ｅの連結輪１７１ｅに係合させることにより、プレート１７０ｅに着脱自在に取り付けられる。なお、連結輪１７１ｅは、上下に一定の間隔をおいて配置されているため、ケース部材１０５を取り付ける高さを容易に調節することができる。
【００７７】
なお、このプレート１７０ｅを有する装着手段は、第２及び第３実施形態にも適用することができる。
【００７８】
図１９〜図２１に示す装着手段は、座席３を覆うようにシートカバー１１２ｆ、及びシートカバー１１２ｆにケース部材を着脱自在に取り付けるための取付手段から構成されている。
【００７９】
取付手段は、図１９に示すように、固定孔部１２２ｆを有する固定フラップ１２０ｆと、固定孔部１２２ｆと対応するようにシートカバー１１２ｆに設けられた固定ボタン１２６ｆから構成されている。固定フラップ１２０ｆは、映像再生機器やディスプレイ機器が収納されたケース部材背面の４つの端部に取り付けられる。
【００８０】
あるいは、取付手段は、図２０に示すように、ケース部材背面の４つの端部に取り付けられ、その後面に固定テープを有する固定フラップ１２０ｆ´と、シートカバー１１２ｆに設けられた固定テープ部１２４ｆとから構成することもできる。
【００８１】
図２１に示すように、シートカバー１１２ｆは、車両の座席３を覆うように取り付けられ、ケース部材１０５は、取付手段によりシートカバー１１２ｆに取り付けられる。
【００８２】
なお、このシートカバー１１２ｆを有する装着手段は、第２及び第３実施形態にも適用することができる。
【００８３】
さらに、図１７〜図２１に示す２つの装着手段は、前記した第１及び第２の変形例にも適用することができる。
【００８４】
以上、本発明の好適な実施形態について説明したが、本発明は前記した実施形態及び変形例のみに限定されるものではなく、本発明の技術的思想に基づく限りにおいて、種々の変形が可能である。
【図面の簡単な説明】
【００８５】
【図１】持ち運びモードの、第１の実施形態のケースを示す正面斜視図である。
【図２】持ち運びモードの、第１の実施形態のケースを示す後面斜視図である。
【図３】作動モードの、第１の実施形態のケースを示す正面斜視図である。
【図４】設置モードの、第１の実施形態のケースを示す正面斜視図である。
【図５】持ち運びモードの、第２の実施形態のケースを示す正面斜視図である。
【図６】作動モードの、第２の実施形態のケースを示す正面斜視図である。
【図７】作動モードの、第２の実施形態のケースを示す断面図であり、映像再生機器が第２のケース体から引き出された状態を示している。
【図８】作動モードの、第２の実施形態のケースを示す断面図であり、映像再生機器が第２のケース体に収納された状態を示している。
【図９】設置モードの、第２の実施形態のケースを示す正面斜視図である。
【図１０】持ち運びモードの、第３の実施形態のケースを示す正面斜視図である。
【図１１】作動モードの、第３の実施形態のケースを示す正面斜視図である。
【図１２】設置モードの、第３の実施形態のケースを示す正面斜視図である。
【図１３】取付部材を示す正面斜視図である。
【図１４】第１の変形例であるケースの一部を示す部分斜視図である。
【図１５】持ち運びモードの、第２の変形例であるケースを示す部分斜視図である。
【図１６】設置モードの、第２の変形例であるケースケースを示す斜視図である。
【図１７】プレート１７０ｅを有する装着手段を示す斜視図である。
【図１８】設置モードの、図１７に示した装着手段により座席に装着されたケースを示す斜視図である。
【図１９】固定ボタン１２６ｆを有するシートカバー１１２ｆから構成された装着手段を示す正面斜視図である。
【図２０】固定テープ１２４ｆを有するシートカバー１１２ｆから構成されたれる装着手段を示す正面斜視図である。
【図２１】図１９に示した装着手段により座席に装着されたケースを示す斜視図である。
【図２２】従来のケースを示す斜視図である。
【符号の説明】
【００８６】
１    ディスプレイ機器
２    映像再生機器
３    座席
３ａ  ヘッドレスト
１００    ケース
１０５    ケース部材
１１０    第１のケース体
１２０    第２のケース体
１２１    上側カバー
１２３    取っ手
１２４    固定テープ
１３０    装着ベルト
１４０    結合手段
１５０    固定ストラップ
１６０    取付部材
【図１】
2005153866.tif 000003
【図２】
2005153866.tif 000004
【図３】
2005153866.tif 000005
【図４】
2005153866.tif 000006
【図５】
2005153866.tif 000007
【図６】
2005153866.tif 000008
【図７】
2005153866.tif 000009
【図８】
2005153866.tif 000010
【図９】
2005153866.tif 000011
【図１０】
2005153866.tif 000012
【図１１】
2005153866.tif 000013
【図１２】
2005153866.tif 000014
【図１３】
2005153866.tif 000015
【図１４】
2005153866.tif 000016
【図１５】
2005153866.tif 000017
【図１６】
2005153866.tif 000018
【図１７】
2005153866.tif 000019
【図１８】
2005153866.tif 000020
【図１９】
2005153866.tif 000021
【図２０】
2005153866.tif 000022
【図２１】
2005153866.tif 000023
【図２２】
2005153866.tif 000024